(57)【要約】【課題】電子機器等に内蔵されるプリント基板等に備えられたフレキシブルケーブル接続用のフレキシブルコネクタに対して、フレキシブルケーブルに代えて使用可能で、使用に際し作業効率がよく接触不良が生じにくく、しかも耐久性に優れた中継基板を提供する。【解決手段】芯線先端を露出させたフレキシブルケーブル２０の先端部が挿入されるケーブル挿入スロット１３と、挿入されたフレキシブルケーブルの先端部を押圧して芯線をケーブル挿入スロットに設けられた接触子に接触させるケーブル押圧レバ１２ーとを備えたフレキシブルコネクタ１０に対して、前記フレキシブルケーブルに代えて用いられる中継基板であって、ケーブル押圧レバーを開放した状態でケーブル挿入スロットに挿入することにより接触子１４ａと接触する端子部が形成された挿入部３を備えており、該挿入部の厚さと幅とをケーブル挿入スロットの高さと幅とに略等しくして中継基板１を構成する。【選択図】  図１
2005268130.tif 000002
【特許請求の範囲】
【請求項１】
芯線先端を露出させたフレキシブルケーブルの先端部が挿入されるケーブル挿入スロットと、挿入されたフレキシブルケーブルの先端部を押圧して前記芯線を前記ケーブル挿入スロットに設けられた接触子に接触させるケーブル押圧レバーとを備えたフレキシブルコネクタに対して、前記フレキシブルケーブルに代えて用いられる中継基板であって、
前記ケーブル押圧レバーを開放した状態で前記ケーブル挿入スロットに挿入することにより前記接触子と接触する端子部が形成された挿入部を備えており、該挿入部の厚さと幅とが前記ケーブル挿入スロットの高さと幅とに略等しい寸法に形成されていることを特徴とする中継基板。
【請求項２】
前記端子部に、メッキが施されてなる請求項１記載の中継基板。
【請求項３】
前記端子部と接続された入出力コネクタを備えてなる請求項１又は２記載の中継基板。
【発明の詳細な説明】
【技術分野】
【０００１】
本発明は、電子機器等に内蔵されるプリント基板等に備えられたフレキシブルケーブル接続用のフレキシブルコネクタに対して、フレキシブルケーブルに代えて使用される中継基板に関する。
【背景技術】
【０００２】
電子機器等には各種部品やプリント基板が内蔵され、それら相互間を接続するのにしばしばフレキシブルケーブルが用いられる。このフレキシブルケーブルはフラットケーブルとも呼ばれ、このフレキシブルケーブルで接続される各種部品やプリント基板（以下、内蔵基板と称する）には、専用のフレキシブルコネクタが用いられる。この専用のフレキシブルコネクタには各種のものが存在するが、例えば、内蔵基板に装着されるフレキシブルコネクタとして、他のコネクタを介在させることなく直接フラットケーブルを接続するタイプのフレキシブルコネクタがある。
【０００３】
このようなタイプのフレキシブルコネクタの例を図３及び図４に示す。このフレキシブルコネクタ１０は、コネクタ本体部１１、ケーブル押圧レバー１２、ケーブル挿入スロット１３、及び、接触ピン１４で構成される。コネクタ本体部１１の前部には前方に開口したケーブル挿入スロット１３が設けられ、接触ピン１４の一端がケーブル挿入スロット１３の内側下面上に、前後方向に平行に配設されて接触子１４ａを形成し、他端は、フレキシブルコネクタ１０のコネクタ本体部１１の内部を貫通して背面から外部に露出し、フレキシブルコネクタ１０が装着される図示されない内蔵基板上に設けられた銅箔パターンに電気的及び機械的に接続される。ケーブル挿入スロット１３の前面には、ケーブル押圧レバー１２が備えられている。このケーブル押圧レバー１２は、コネクタ本体部１１の上面中央の左右両端に設けられたケーブル押圧レバー支点軸１２ａ，１２ａを支点として上下に回動可能であると共に、ケーブル挿入スロット１３の内部には、このケーブル押圧レバー１２と一体で上下に動く図示されていないケーブル押圧部が備えられている。
【０００４】
上記内蔵基板に装着されたフレキシブルコネクタ１０には、図５に示すフレキシブルケーブル２０が図４の矢印で示すように接続される。即ち、フラット状の多芯のフレキシブルケーブル２０は、図５(ｃ)に示すように中被覆２０ｃで互いに隔離された芯線２１が上被覆２０ｂと図示されていない下被覆とに挟まれると共に、上被覆２０ｂの上面が補強板２０ａで覆われた構造をしており、その幅は、フレキシブルコネクタ１０のケーブル挿入スロット１３の幅(図３(ｂ)のｗ３)と略等しいか多少小さいが、その厚さは、フレキシブルコネクタ１０のケーブル挿入スロット１３の高さ(図３(ｂ)のｈ３)よりも薄い。このフレキシブルケーブル２０の先端部２０ｄの下被覆を剥離して、図５(ａ)及び図５(ｂ)に示すように芯線２１を露出させる。尚、図５(ａ)において、Ｌは剥離する部分の長さである。そして、このフレキシブルケーブル２０を、露出させた芯線２１を下方に向けて、フレキシブルコネクタ１０のケーブル押圧レバー１２を上方に移動させて開放した状態で、フレキシブルコネクタ１０のケーブル挿入スロット１３に挿入する。この挿入は、露出させた芯線２１がフレキシブルコネクタ１０の接触子１４ａに接触するように位置決めしながら行なう。そして、フレキシブルコネクタ１０のケーブル押圧レバー１２を下方に移動させて、フレキシブルケーブル２０の先端部２０ｄをケーブル押圧部により上から押圧することにより、フレキシブルケーブル２０をフレキシブルコネクタ１０へ接続するのである。
【０００５】
内臓基板は、このようにして電子機器内で、内臓部品や他の内臓基板と接続されるが、このようにして電子機器内に組み込まれて接続される前に、通常、内臓基板そのものの単体検査が行なわれる。この検査において、従来は、検査装置と上記の内臓基板とを接続するのに、上述したのと同様、内蔵基板に装着されたフレキシブルコネクタ１０に、上記のフレキシブルケーブル２０と同様の検査装置のフレキシブルケーブルを接続して行なっていた。
【０００６】
この点に関し、上記のようなプリント基板の単体検査に類する検査に用いられる方法として、特許文献１に記載のＰＰＣコネクタ用コンタクト基板を使用する方法がある。
【特許文献１】特開平９−３２１３９６号公報
【発明の開示】
【発明が解決しようとする課題】
【０００７】
ところで、上記の内臓基板の単体検査において、ケーブル押圧レバー１２を上方に移動させた状態で、芯線２１がフレキシブルコネクタ１０の接触子１４ａに接触するように位置決めしながら、フレキシブルケーブル２０をフレキシブルコネクタ１０のケーブル挿入スロット１３に挿入し、更にケーブル押圧レバー１２を下方に移動させる操作は、いずれも手作業によって行なっており、作業効率が悪いのみならず、接触不良を生じやすい欠点があった。又、多数の内臓基板を検査するために、フレキシブルケーブルを繰り返し着脱して使用することから、フレキシブルケーブルの露出した芯線が剥がれ落ちる等、耐久性の問題もあった。
【０００８】
又、特許文献１に記載されたＰＰＣコネクタ用コンタクト基板を使用する方法は、ＰＰＣ（フレキシブルプリント基板）が挿入されるコネクタに対するものであって、フレキシブルケーブルを用いる上記の内臓基板の単体検査における問題の解決にはなり得ない。
【０００９】
そこで、この発明は、上記の問題を解決するべく、フレキシブルケーブルに代えて使用可能で、使用に際し作業効率がよく接触不良が生じにくく、しかも耐久性に優れた中継基板の提供を目的としている。
【課題を解決するための手段】
【００１０】
上記問題を解決するためになされた本発明の中継基板は、芯線先端を露出させたフレキシブルケーブルの先端部が挿入されるケーブル挿入スロットと、挿入されたフレキシブルケーブルの先端部を押圧して前記芯線を前記ケーブル挿入スロットに設けられた接触子に接触させるケーブル押圧レバーとを備えたフレキシブルコネクタに対して、前記フレキシブルケーブルに代えて用いられる中継基板であって、前記ケーブル押圧レバーを開放した状態で前記ケーブル挿入スロットに挿入することにより前記接触子と接触する端子部が形成された挿入部を備えており、該挿入部の厚さと幅とが前記ケーブル挿入スロットの高さと幅とに略等しい寸法に形成されていることを特徴としている。
【００１１】
又、本発明の中継基板において、前記端子部にメッキを施すことが好ましい。又、前記端子部と接続された入出力コネクタを備えることも好ましい。
【発明の効果】
【００１２】
本発明の中継基板は、芯線先端を露出させたフレキシブルケーブルの先端部が挿入されるケーブル挿入スロットと、挿入されたフレキシブルケーブルの先端部を押圧して前記芯線を前記ケーブル挿入スロットに設けられた接触子に接触させるケーブル押圧レバーとを備えたフレキシブルコネクタに対して、前記フレキシブルケーブルに代えて用いられる中継基板であって、前記ケーブル押圧レバーを開放した状態で前記ケーブル挿入スロットに挿入することにより前記接触子と接触する端子部が形成された挿入部を備えており、該挿入部の厚さと幅とが前記ケーブル挿入スロットの高さと幅とに略等しい寸法に形成されている。従って、特に注意を払うこともなく容易に、ケーブル挿入スロットとの間に隙間を生じることなく中継基板の挿入部をケーブル挿入スロットに挿入でき、しかも挿入部に形成されている端子部を確実にケーブル挿入スロット内の接触子に接触させることができる。
【００１３】
又、前記端子部に、メッキが施されているので、耐摩耗性に優れており、本発明の中継基板の耐久性を向上させることができる。又、前記端子部と接続された入出力コネクタを備えているので、この入出力コネクタに、フレキシブルコネクタが装着されている内臓基板を検査対象とする検査装置の入出力ケーブルを接続でき、内臓基板の検査を容易に行なうことができるといった効果を奏する。
【発明を実施するための最良の形態】
【００１４】
以下、本発明の実施の形態について、図１及び図２を参照して説明する。
【００１５】
前述した内蔵基板に装着されている図３及び図４に示すフレキシブルコネクタ１０には、本来ならば、前述のフレキシブルケーブル２０が接続される。本発明の実施の形態で説明する中継基板は、前述した内蔵基板の単体検査等に際して、フレキシブルコネクタ１０に接続される前述のフレキシブルケーブル２０に代えて用いられるものである。従って、本発明の実施の形態の説明に用いられる内臓基板は前述した内臓基板と同じものであり、この内臓基板に装着されるフレキシブルコネクタも、前述した図３及び図４に示すフレキシブルコネクタ１０と同じものである。従って、以下の説明においては、フレキシブルコネクタ１０の詳細説明を省略している。
【００１６】
図１は、本発明に係る中継基板１及び、上記の内臓基板(図示されていない)に装着されており中継基板１が挿入されるフレキシブルコネクタ１０の斜視図、図２(ａ)は中継基板１の上面図、(ｂ)はその下面図、(ｃ)はその側面図、そして(ｄ)は中継基板１に設けられた挿入部３の端面部分拡大図である。
【００１７】
中継基板１は、平面視凸形の形状をした平板状のベース基板２と、このベース基板２の上面に備えられた入出力コネクタ５とで構成される。ベース基板２はガラスエポキシ樹脂等の硬質樹脂で形成される。凸形のベース基板２の突出した部分の先端部は挿入部３を構成しており、挿入部３はベース基板２の一部であるので、その厚さ(図２(ｃ)のｄ２)はベース基板２の厚さと同じであるが、この厚さは、内臓基板に装着されたフレキシブルコネクタ１０のケーブル挿入スロット１３の高さ(図３(ｂ)のｈ３)と略同じとしている。又、挿入部３の幅(図２(ａ)のｗ２)も、上記のケーブル挿入スロット１３の幅(図３(ｂ)のｗ３)と略同じとしている。挿入部３の裏面には複数の端子部４が、凸形のベース基板２の突出方向に平行に離間して形成されている。この端子部４は、図２(ｄ)に示すように銅箔で形成され、更に、この銅箔の上にロジウムメッキされてロジウムメッキ層４ａが形成されている。この銅箔上のメッキはロジウムには限られず、他の金属を用いるようにしてもよい。挿入部３の裏面に形成される端子部４の個数は、内臓基板に装着されたフレキシブルコネクタ１０のケーブル挿入スロット１３に配設された接触子１４ａの個数と同じであり、又、端子部４相互の間隔も、上記の接触子１４ａ相互の間隔と同じである。又、ベース基板２の上面と下面には個々の端子部４と入出力コネクタ５の個々の接触子とを結ぶ銅箔パターン６が設けられている。入出力コネクタ５としてはいかなるコネクタも使用可能であるが、ここでは、上記のフレキシブルコネクタ１０と同じものを使用している。尚、上記では入出力コネクタ５はベース基板２の上面に備えられているが、下面に備えるようにしてもよい。
【００１８】
上記の中継基板１は、上述したようにフレキシブルコネクタ１０が装着された内臓基板の検査に使用される。即ち、中継基板１に装着された入出力コネクタ５には、内蔵基板の検査装置(図示されていない)に接続された入出力ケーブルであるフレキシブルケーブル(図示されていない)が接続される。
【００１９】
この中継基板１の挿入部３を、フレキシブルコネクタ１０のケーブル押圧レバー１２を上方に移動させて開放した状態で、図１の矢印で示すように、フレキシブルコネクタ１０のケーブル挿入スロット１３に挿入する。この際、上述したように、挿入部３の厚さと幅とがケーブル挿入スロット１３の高さと幅とに略等しいので、ケーブル挿入スロット１３との隙間を生じさせることなく、挿入部３を容易にケーブル挿入スロット１３に挿入できる。しかも、フレキシブルコネクタ１０のケーブル押圧レバー１２を下方に移動させる必要もなく、挿入部３に形成されている端子部４を確実にケーブル挿入スロット１３内の接触子１４ａに接触させることができる。そのため、接触子との接触がうまくいくように位置決めを行なう等のような注意を特に払う必要もない。そして、検査装置から出力される電源や各種信号を、フレキシブルコネクタ１０を介して検査対象の内蔵基板に供給すると共に、この内臓基板の出力を、フレキシブルコネクタ１０を介して内蔵基板の検査装置に伝達することができ、内蔵基板の検査を遂行することができる。従って、上記の中継基板１によれば、フレキシブルケーブルに代えて使用可能で、使用に際し作業効率がよく接触不良が生じにくく、しかも耐久性に優れた中継基板を提供することができる。
【００２０】
又、この検査の実施に際しては、上記の中継基板１を、検査対象の内蔵基板に装着されたフレキシブルコネクタ１０に自動的に着脱する装置に装着することにより、上記の検査を自動的に行なわせることができる。
【００２１】
又、上記の検査は、検査対象である多数の内蔵基板に対して実施する必要があることから、中継基板１の挿入部３の着脱を繰り返す必要があるが、端子部４には、ロジウムメッキが施されているので、耐摩耗性に優れており、着脱に対する中継基板１の耐久性を向上させることができる。
【００２２】
又、上述したように、端子部４と接続された入出力コネクタ５を備えているので、この入出力コネクタ５に、内臓基板を検査対象とする検査装置の入出力ケーブルを接続でき、内臓基板の検査を容易に行なうことができる。
【産業上の利用可能性】
【００２３】
本発明の中継基板は、フレキシブルケーブル用のコネクタを備えたプリント基板の単体検査等を行なう生産現場等での使用に活用できる。
【図面の簡単な説明】
【００２４】
【図１】中継基板及びこの中継基板が挿入されるフレキシブルコネクタの斜視図である。
【図２】中継基板の、(ａ)は上面図、(ｂ)は下面図、(ｃ)は側面図、 (ｄ)は挿入部の端面部分拡大図である。
【図３】中継基板が挿入されるフレキシブルコネクタの、(ａ)は正面図、(ｂ)は平面図である。
【図４】フレキシブルケーブル及びこのフレキシブルケーブルが接続されるフレキシブルコネクタの斜視図である。
【図５】フレキシブルケーブルの、(ａ)は裏面図、(ｂ)は先端部の端面図、(ｃ)は(ｂ)の部分拡大図である。
【符号の説明】
【００２５】
１      中継基板
２      ベース基板
３      挿入部
４      端子部
４ａ    ロジウムメッキ層
５      入出力コネクタ
６      銅箔パターン
１０    フレキシブルコネクタ
１１    コネクタ本体部
１２    ケーブル押圧レバー
１２ａ  ケーブル押圧レバー支点軸
１３    ケーブル挿入スロット
１４    接触ピン
１４ａ  接触子
２０    フレキシブルケーブル
２０ａ  補強板
２０ｂ  上被覆
２０ｃ  中被覆
２０ｄ  フレキシブルケーブ先端部
２１    芯線
ｄ２    挿入部厚さ寸法
ｈ３   ケーブル挿入スロット高さ寸法
ｗ２    挿入部幅寸法
ｗ３   ケーブル挿入スロット幅寸法
Ｌ     剥離長さ
【図１】
2005268130.tif 000003
【図２】
2005268130.tif 000004
【図３】
2005268130.tif 000005
【図４】
2005268130.tif 000006
【図５】
2005268130.tif 000007